(57)【特許請求の範囲】
【請求項１】
入力されるデジタルビデオデータを１フレーム期間遅延させるフレームメモリと、
液晶の応答速度を補正するための複数の修正データであって、前記入力されるデジタルビデオデータと、前記フレームメモリから出力される１フレーム期間前のデジタルビデオデータとの比較結果に対応する修正データが記憶され、入力されるデジタルビデオデータの駆動周波数が予め決められた基準駆動周波数である時、前記液晶の応答速度を適切に補正する複数の修正データが記憶された基準ルックアップテーブルとを具備し、
前記基準ルックアップテーブルから出力される修正データに基づいて前記デジタルビデオデータの表示を行う液晶表示装置において、
入力されるデジタルビデオデータの駆動周波数を検出手段によって検出し、
入力されるデジタルビデオデータのデータ値が前記フレームメモリから出力される１フレーム前のデジタルビデオデータのデータ値より大である時、前記検出された入力デジタルビデオデータの駆動周波数と、前記基準駆動周波数とに基づき、次の２式の内のいずれか１式を用いて前記基準ルックアップテーブルから出力される修正データを演算し、その演算結果であるＶＭデータを表示用データとして出力することを特徴とする液晶表示装置の駆動方法。
【数１】
0004190220.tif 000016
【数２】
0004190220.tif 000017
但し、
ＬＲｅｆ：前記基準ルックアップテーブルから出力される修正データ
Ｆｒｅｆ：前記基準駆動周波数
Ｆｔ：前記検出手段によって検出されたデジタルビデオデータの駆動周波数
【請求項２】
入力されるデジタルビデオデータを１フレーム期間遅延させるフレームメモリと、
液晶の応答速度を補正するための複数の修正データであって、前記入力されるデジタルビデオデータと、前記フレームメモリから出力される１フレーム期間前のデジタルビデオデータとの比較結果に対応する修正データが記憶され、入力されるデジタルビデオデータの駆動周波数が予め決められた基準駆動周波数である時、前記液晶の応答速度を適切に補正する複数の修正データが記憶された基準ルックアップテーブルとを具備し、
前記基準ルックアップテーブルから出力される修正データに基づいて前記デジタルビデオデータの表示を行う液晶表示装置において、
入力されるデジタルビデオデータの駆動周波数を検出手段によって検出し、
入力されるデジタルビデオデータのデータ値が前記フレームメモリから出力される１フレーム前のデジタルビデオデータのデータ値より小である時、前記検出された入力デジタルビデオデータの駆動周波数と、前記基準駆動周波数とに基づき、次の２式の内のいずれか１式を用いて前記基準ルックアップテーブルから出力される修正データを演算し、その演算結果であるＶＭデータを表示用データとして出力することを特徴とする液晶表示装置の駆動方法。
【数３】
0004190220.tif 000018
【数４】
0004190220.tif 000019
但し、
ＬＲｅｆ：前記基準ルックアップテーブルから出力される修正データ
Ｆｒｅｆ：前記基準駆動周波数
Ｆｔ：前記検出手段によって検出されたデジタルビデオデータの駆動周波数
【請求項３】
入力されるデジタルビデオデータを１フレーム期間遅延させるフレームメモリと、
液晶の応答速度を補正するための複数の修正データであって、前記入力されるデジタルビデオデータと、前記フレームメモリから出力される１フレーム期間前のデジタルビデオデータとの比較結果に対応する修正データが記憶され、入力されるデジタルビデオデータの駆動周波数が予め決められた基準駆動周波数である時、前記液晶の応答速度を適切に補正する複数の修正データが記憶された基準ルックアップテーブルとを具備し、
前記基準ルックアップテーブルから出力される修正データに基づいて前記デジタルビデオデータの表示を行う液晶表示装置において、
入力されるデジタルビデオデータの駆動周波数を検出するモード検出器と、
前記基準ルックアップテーブルから出力される修正データを、前記モード検出器の出力に応じて更に修正したＶＭデータを表示用データとして出力する演算器とを具備し、
前記演算器は、それぞれ異なる周波数範囲を有する複数の周波数バンドのそれぞれについて予め異なる加重値が設定されたテーブルを有し、該テーブルから前記モード検出器によって検出された周波数が含まれる周波数バンドに設定された前記加重値を読み出し、
入力されるデジタルビデオデータが前記フレームメモリから出力される１フレーム期間前のデジタルビデオデータのデータ値より大の場合は、前記基準ルックアップテーブルから出力される修正データを前記加重値で割ったデータをＶＭデータとして出力し、
入力されるデジタルビデオデータが前記フレームメモリから出力される１フレーム期間前のデジタルビデオデータのデータ値より小の場合は、前記基準ルックアップテーブルから出力される修正データに前記加重値を乗算したデータをＶＭデータとして出力することを特徴とする液晶表示装置の駆動方法。
【請求項４】
入力されるデジタルビデオデータを１フレーム期間遅延させるフレームメモリと、
液晶の応答速度を補正するための複数の修正データであって、前記入力されるデジタルビデオデータと、前記フレームメモリから出力される１フレーム期間前のデジタルビデオデータとの比較結果に対応する修正データが記憶され、入力されるデジタルビデオデータの駆動周波数が予め決められた基準駆動周波数である時、前記液晶の応答速度を適切に補正する複数の修正データが記憶された基準ルックアップテーブルとを具備し、
前記基準ルックアップテーブルから出力される修正データに基づいて前記デジタルビデオデータの表示を行う液晶表示装置の駆動装置において、
入力されるデジタルビデオデータの駆動周波数を検出するモード検出器と、
前記モード検出器の出力に応じて前記基準ルックアップテーブルから出力される修正データを更に修正したＶＭデータを表示用データとして出力する演算器とを具備し、
前記演算器は、入力されるデジタルビデオデータのデータ値が前記フレームメモリから出力される１フレーム前のデジタルビデオデータのデータ値より大である時、前記検出された入力デジタルビデオデータの駆動周波数と、前記基準駆動周波数とに基づき、次の２式の内のいずれか１式を用いて前記基準ルックアップテーブルから出力される修正データを演算し、その演算結果として前記ＶＭデータを出力することを特徴とする液晶表示装置の駆動装置。
【数５】
0004190220.tif 000020
【数６】
0004190220.tif 000021
但し、
ＬＲｅｆ：前記基準ルックアップテーブルから出力される修正データ
Ｆｒｅｆ：前記基準駆動周波数
Ｆｔ：前記モード検出器によって検出されたデジタルビデオデータの駆動周波数
【請求項５】
入力されるデジタルビデオデータを１フレーム期間遅延させるフレームメモリと、
液晶の応答速度を補正するための複数の修正データであって、前記入力されるデジタルビデオデータと、前記フレームメモリから出力される１フレーム期間前のデジタルビデオデータとの比較結果に対応する修正データが記憶され、入力されるデジタルビデオデータの駆動周波数が予め決められた基準駆動周波数である時、前記液晶の応答速度を適切に補正する複数の修正データが記憶された基準ルックアップテーブルとを具備し、
前記基準ルックアップテーブルから出力される修正データに基づいて前記デジタルビデオデータの表示を行う液晶表示装置の駆動装置において、
入力されるデジタルビデオデータの駆動周波数を検出するモード検出器と、
前記モード検出器の出力に応じて前記基準ルックアップテーブルから出力される修正データを更に修正したＶＭデータを表示用データとして出力する演算器とを具備し、
前記演算器は、入力されるデジタルビデオデータのデータ値が前記フレームメモリから出力される１フレーム前のデジタルビデオデータのデータ値より小である時、前記検出された入力デジタルビデオデータの駆動周波数と、前記基準駆動周波数とに基づき、次の２式の内のいずれか１式を用いて前記基準ルックアップテーブルから出力される修正データを演算し、その演算結果として前記ＶＭデータを出力することを特徴とする液晶表示装置の駆動装置。
【数７】
0004190220.tif 000022
【数８】
0004190220.tif 000023
但し、
ＬＲｅｆ：前記基準ルックアップテーブルから出力される修正データ
Ｆｒｅｆ：前記基準駆動周波数
Ｆｔ：前記モード検出器によって検出されたデジタルビデオデータの駆動周波数
【請求項６】
入力されるデジタルビデオデータを１フレーム期間遅延させるフレームメモリと、
液晶の応答速度を補正するための複数の修正データであって、前記入力されるデジタルビデオデータと、前記フレームメモリから出力される１フレーム期間前のデジタルビデオデータとの比較結果に対応する修正データが記憶され、入力されるデジタルビデオデータの駆動周波数が予め決められた基準駆動周波数である時、前記液晶の応答速度を適切に補正する複数の修正データが記憶された基準ルックアップテーブルとを具備し、
前記基準ルックアップテーブルから出力される修正データに基づいて前記デジタルビデオデータの表示を行う液晶表示装置の駆動装置において、
入力されるデジタルビデオデータの駆動周波数を検出するモード検出器と、
前記基準ルックアップテーブルから出力される修正データを、前記モード検出器の出力に応じて更に修正したＶＭデータを表示用データとして出力する演算器とを具備し、
前記演算器は、それぞれ異なる周波数範囲を有する複数の周波数バンドのそれぞれについて予め異なる加重値が設定されたテーブルを有し、該テーブルから前記モード検出器によって検出された周波数が含まれる周波数バンドに設定された前記加重値を読み出し、
入力されるデジタルビデオデータが前記フレームメモリから出力される１フレーム期間前のデジタルビデオデータのデータ値より大の場合は、前記基準ルックアップテーブルから出力される修正データを前記加重値で割ったデータをＶＭデータとして出力し、
入力されるデジタルビデオデータが前記フレームメモリから出力される１フレーム期間前のデジタルビデオデータのデータ値より小の場合は、前記基準ルックアップテーブルから出力される修正データに前記加重値を乗算したデータをＶＭデータとして出力することを特徴とする液晶表示装置の駆動装置。
【請求項７】
前記ＶＭデータを液晶表示パネルに供給するためのデータドライバと、
前記液晶表示パネルにスキャニング信号を供給するためのゲートドライバと、
前記現在入力されるデジタルビデオデータを前記基準ルックアップテーブル、前記フレームメモリ及び前記モード検出器に供給すると共に前記データドライバと前記ゲートドライバを制御するためのタイミングコントローラとを更に具備することを特徴とする請求項６に記載の液晶表示装置の駆動装置。
【発明の詳細な説明】
【０００１】
【発明の属する技術分野】
本発明は液晶表示装置に関するもので、特に画質を向上させた液晶表示装置の駆動方法及び装置に関するものである。
【０００２】
【従来の技術】
通常、液晶表示装置はビデオ信号により液晶セルなどの光透過率を調節して画像を表示する。液晶セル毎にスイッチング素子が形成されたアクティブマトリックスタイプの液晶表示装置が動画を表示するのに適合である。アクティブマトリックスタイプの液晶表示装置に使用されるスイッチング素子としては主に薄膜トランジスタ（以下、「ＴＦＴ」という）が利用されている。
【０００３】
液晶表示装置は数学式１及び２で分かるように、液晶に固有の粘性と弾性という特性により応答速度が遅いという短所がある。
【数９】
0004190220.tif 000002
ここで、τ及びγは液晶に電圧が印加される際の上昇時間を、Ｖaは印加電圧を、ＶＦは液晶分子が傾斜運動を始めるフリーデリック遷移電圧（Freederick  Transition  Voltage）を、ｄは液晶セルのセル・ギャップを、γは液晶分子の回転粘度をそれぞれ意味する。
【数１０】
0004190220.tif 000003
ここで、τ及びｆは液晶に印加された電圧がオフにされた後液晶が弾性復元力により元の位置に復元される下降時間を、Ｋは液晶固有の弾性係数をそれぞれ意味する。
【０００４】
ＴＮモードの液晶応答速度は液晶材料の物性とセル・ギャップなどにより調節できるが、通常、上昇時間が２０−８０ｍｓであり下降時間が２０−３０ｍｓである。このような液晶の応答速度は動画の１フレーム期間（ＮＴＳＣ；１６．６７ｍｓ）より長いため、図１のように、液晶セルに充電される電圧が所望の電圧に到達する前に次のフレームに進行することにより、動画で画面がかすむモーション・ブラーリング（Motion  Blurring）現象が表れる。
【０００５】
図１に示すように、従来の液晶表示装置は動画を表示する際に応答速度が遅いことにより、１レベルで異なるデータ（ＶＤ）レベルが変化する時、それに対応する表示輝度（ＢＬ）が所望の輝度に到達せず、所望の色と輝度を表現できない。その結果、液晶表示装置には動画像のモーション・ブラーリング現象が表れ、明暗比の低下により表示品質が劣化する。
【０００６】
このような液晶表示装置の遅い応答速度を解決するために、アメリカ特許第５，４９５，２６５号とＰＣＴ国際公開番号ＷＯ９９／０５５６７にはルックアップ・テーブルを利用してデータの変化の有無によりデータを修正する方法（以下、「高速駆動」という）が提案されている。この高速駆動方法は図２のような原理でデータを修正する。
【０００７】
図２に示すように、従来の高速駆動方法は、入力データ（ＶＤ）を修正して修正データ（ＭＶＤ）を液晶セルに印加することにより所望の輝度（ＭＢＬ）を得る。この高速駆動方法は、１フレーム期間中に入力データの輝度値に応じた所望の輝度が得られるように、データの変化の有無に基づいて数学式９で｜Ｖ２ａ  ーＶ２Ｆ｜を大きくすることにより、液晶の応答速度を加速させる。従って、高速駆動方法を利用する液晶表示装置は、液晶の遅い速度をデータ値の修正で補償することにより動画像のモーション・ブラーリング現象を緩和させ、所望の色と輝度で画像を表示することができる。
【０００８】
さらに詳細には、高速駆動方法は直前のフレーム（Ｆｎ−１）と現在のフレーム（Ｆｎ）それぞれの最上位ビット・データ（ＭＳＢ）を比較して最上位ビット・データ（ＭＳＢ）に変化があると、ルックアップ・テーブルから該当する修正データ（Ｍデータ）を選択して図３のように修正する。この高速駆動方法は、ハードウェアの実現の際にメモリ容量を減らすために、上位の数のビットだけを修正する。このように実現された高速駆動装置を図４に示す。
【０００９】
図４に示すように、従来の高速駆動装置は上位ビット・バスライン（４２）に接続されたフレームメモリ（４３）と、上位ビット・バスライン（４２）とフレームメモリ（４３）の出力端子両方に接続されたルックアップテーブル（４４）とを具備する。
【００１０】
フレームメモリ（４３）は上位ビット（ＭＳＢ）を１フレーム期間の間に保存し、保存されたデータをルックアップ・テーブル（４４）に供給する。ここで、上位ビット（ＭＳＢ）は８ビットのソース・データ（ＲＧＢ）のうち上位４ビットに設定される。
【００１１】
ルックアップテーブル（４４）は上位ビット・バスライン（４２）から入力される現在のフレーム（Ｆｎ）の上位ビット（ＭＳＢ）と、フレームメモリ（４３）から入力される直前のフレーム（Ｆｎ−１）の上位ビット（ＭＳＢ）を下の表１または表２で比較し、該当する修正データ（Ｍデータ）を選択する。修正データ（Ｍデータ）は下位ビット・バスライン（４１）からの下位ビット（ＬＳＢ）と加算されて液晶表示装置に供給される。
【表１】
0004190220.tif 000004
【表２】
0004190220.tif 000005
【００１２】
表１及び表２において、左側列は直前のフレーム（Ｆｎ−１）のデータ電圧（ＶＤｎ−１）であり、最上行は現在のフレーム（Ｆｎ）のデータ電圧（ＶＤｎ）である。表１は最上位４ビット（２０、２１、２２、２３）を１０進数で表現したルックアップテーブルである。表２は８ビットのデータのうち最上位４ビットの加重値（２４、２５、２６、２７）を適用したルックアップ・テーブルである。
【００１３】
しかし従来の高速駆動方式は、テレビジョンのようにデータの駆動周波数が固定された場合を前提として研究されたために、モニタのように駆動周波数が変化する周波数可変型の表示装置に適用されにくいという問題点があった。具体的には、従来の高速駆動方式は特定の周波数（例えば６０Ｈｚ）とそれにより固定された液晶の応答速度（１６．７ｍｓ）に合わせて修正データ（Ｍデータ）の電圧レベルが固定される。これに比べて、コンピュータのモニタは駆動周波数が５０〜８０Ｈｚの間で変化することができるように製作される。このようなモニタに従来の高速駆動方式を適用するためには、従来の高速駆動方式で設定された修正データ（Ｍデータ）を駆動周波数により変えるべきである。これは、駆動周波数により液晶に充電される電圧を変化させて液晶の応答速度を調節するためである。このため、特定の周波数に固定された駆動周波数を基準に設定された修正データ（Ｍデータ）を、その周波数より小さい又は大きい周波数の駆動周波数で画像を表示するモニタに適用すると画質が更に劣化する。
【００１４】
【課題を解決するための手段】
従って、本発明の目的は、画質を向上させた液晶表示装置の駆動方法及び装置を提供することである。
【００１５】
【発明の構成及び作用】
前記目的を達成するために、本発明による液晶表示装置の駆動方法は、基準修正データを設定する段階と、駆動周波数を検出する段階と、前記検出された駆動周波数により前記基準修正データを調整してソースデータを修正する段階を含む。
【００１９】
本発明による液晶表示装置の駆動方法は、ソースデータのデータ値が直前のフレームより現在のフレームで更に大きくなる時、前記駆動周波数により調整された基準修正データをもとに、ＶＭデータは下の式１及び式２の中のいずれか１つにより決定されることを特徴とする。
【数１１】
0004190220.tif 000006
【数１２】
0004190220.tif 000007
【００２０】
ここで、ＬＲｅｆは前記基準修正データを、Ｆｒｅｆは前記基準周波数を、Ｆｔは前記検出された駆動周波数をそれぞれ意味する。
【００２１】
本発明による液晶表示装置の駆動方法は、ソースデータのデータ値が直前のフレームより現在のフレームで更に小さくなる時、前記駆動周波数により調整された基準修正データをもとに、ＶＭデータは下の式３及び式４の中のいずれか１つにより決定されることを特徴とする。
【数１３】
0004190220.tif 000008
【数１４】
0004190220.tif 000009
【００２２】
ここで、ＬＲｅｆは前記基準修正データを、Ｆｒｅｆは前記基準周波数を、Ｆｔは前記検出された駆動周波数をそれぞれ意味する。
【００２４】
本発明による液晶表示装置の駆動方法は、基準修正データを設定する段階と、一定の周波数の範囲別に周波数帯域を分割する段階と、前記各周波数の帯域別に互いに異なる加重値を設定する段階と、駆動周波数を検出する段階と、前記検出された駆動周波数が含まれた周波数帯域を判断する段階と、前記駆動周波数が含まれた周波数帯域の加重値を前記基準修正データに付与して前記基準修正データを調整することにより前記ソースデータを修正する段階を含む。
【００２５】
本発明による液晶表示装置の駆動方法は、基準修正データが所定の基準周波数を基準に設定されることを特徴とする。
【００２６】
本発明による液晶表示装置の駆動装置は、現在入力されるソースデータの駆動周波数を検出するモード検出器と、予め設定されたデータから基準修正データを選択して前記検出された駆動周波数により前記選択された基準修正データを調整する修正器とを具備する。
【００２７】
本発明による液晶表示装置の駆動装置は、修正器がソースデータの上位ビットを１フレームの期間の間に遅延させるフレーム・メモリを具備することを特徴とする。
【００３２】
本発明による液晶表示装置の駆動装置は、現在入力されるソースデータの駆動周波数を検出するモード検出器と、すでに設定されたデータから基準修正データを選択し、複数の周波数の範囲を有する周波数のバンドそれぞれに対して異なる加重値を設定し、前記検出された周波数を含む前記周波数のバンドの加重値を前記基準修正データに付与することを特徴とする。
【００３３】
本発明による液晶表示装置の駆動装置は、修正器により修正されたデータを液晶表示パネルに供給するためのデータドライバと、液晶表示パネルにスキャニング信号を供給するためのゲートドライバと、現在入力されるソースデータを前記修正器と前記モード検出器に供給すると共に前記データドライバと前記ゲートドライバを制御するためのタイミングコントローラとを更に具備する。
【００３５】
本発明による液晶表示装置の駆動装置は、複数のデータラインと複数のゲートラインを有する液晶表示パネルと、現在入力されるソースデータの駆動周波数を検出するモード検出器と、基準修正データを選択して複数の周波数の範囲を有する周波数バンドのそれぞれに対して異なる加重値を設定し、前記検出された駆動周波数を含む前記周波数バンドの加重値を前記基準修正データに付与する修正器と、修正器により修正されたデータを前記液晶表示パネルに供給するためのデータドライバと、液晶表示パネルにスキャニング信号を供給するためのゲートドライバと、現在入力されるソースデータを前記修正器と前記モード検出器に供給すると共に前記データドライバと前記ゲートドライバを制御するためのタイミングコントローラとを更に具備する。
【００３６】
【作用】
本発明による液晶表示装置の駆動方法及び装置は、基準修正データを設定して駆動周波数により基準修正データを調整し、駆動周波数別に要求される液晶の応答速度に適合できる。
【００３７】
【発明の実施態様】
以下、図５乃至図７を参照して本発明の好ましい実施例を説明する。
【００３８】
図５に示すように、本発明による液晶表示装置の駆動装置はデータライン（５５）とゲートライン（５６）の交差部に液晶セル（Ｃｌｃ）を駆動するためのＴＦＴが形成された液晶パネル（５７）と、液晶パネル（５７）のデータライン（５５）にデータを供給するためのデータドライバ（５３）と、液晶パネル（５７）のゲートライン（５６）にスキャニングパルスを供給するためのゲートドライバ（５４）と、デジタル・ビデオ・データと同期信号（ＨＶ）が供給されるタイミングコントローラ（５１）と、デジタル・ビデオ・データ（ＲＧＢ）の周波数を検出するためのモード検出器（５８）と、デジタル・ビデオ・データ（ＲＧＢ）の周波数により予め設定された修正データを調整するデータ修正部（５２）とを具備する。
【００３９】
液晶パネル（５７）は間に液晶が注入された二枚のガラス基板からなり、その下部ガラス基板の上に複数のデータライン（５５）と複数のゲートライン（５６）が相互に直交するように形成されている。データライン（５５）とゲートライン（５６）の交差部に形成されたＴＦＴは、スキャニングパルスに応答してデータライン（５５）上の液晶セル（Ｃｌｃ）に電界の影響を及ぼさせる。このため、ＴＦＴのゲート電極はゲートライン（５６）に接続され、ソース電極はデータライン（５５）に接続される。そしてＴＦＴのドレーン電極は液晶セル（Ｃｌｃ）の画素電極に接続される。
【００４０】
タイミングコントローラ（５１）は、図示しないデジタル・ビデオ・カードから供給されるデジタル・ビデオ・データを再整列する。タイミングコントローラ（５１）により再整列されたデータ（ＲＧＢデータ）はデータ修正部（５２）とモード検出器（５８）に供給される。
【００４１】
また、タイミングコントローラ（５１）は入力される水平／垂直同期信号（ＨＶ）を利用してドットクロック（Ｄｃｌｋ）、ゲート・スタート・パルス（ＧＳＰ）、図示しないゲート・シフト・クロック（ＧＳＣ）、出力イネーブル／ディスエーブル信号などのタイミング制御信号と極性の制御信号を生成し、データドライバ（５３）とゲートドライバ（５４）を制御する。ドットクロック（Ｄｃｌｋ）と極性制御信号はデータドライバ（５３）に供給され、ゲート・スタート・パルス（ＧＳＰ）とゲート・シフト・クロック（ＧＳＣ）はゲートドライバ（５４）に供給される。
【００４２】
ゲートドライバ（５４）はタイミングコントローラ（５１）から供給されるゲート・スタート・パルス（ＧＳＰ）とゲート・シフト・クロック（ＧＳＣ）に応答してスキャンパルス、即ちゲート・ハイパルスを順次発生するシフト・レジスタと、スキャンパルスの電圧を液晶セル（Ｃｌｃ）の駆動に適合するレベルにシフトさせるためのレベル・シフトを含む。このスキャンパルスに応答してＴＦＴはターン・オンされる。ＴＦＴがターン・オンされる際に、データライン（５５）上のビデオ・データは液晶セル（Ｃｌｃ）の画素電極に供給される。
【００４３】
データドライバ（５３）にはデータ修正部（５２）により修正された周波数が可変データ（ＶＭデータ）が供給されると共に、タイミングコントローラ（５１）からドットクロック（Ｄｃｌｋ）が入力される。このデータドライバ（５３）はドットクロック（Ｄｃｌｋ）により可変修正データ（ＶＭデータ）をサンプリングした後、１ライン分ずつラッチする。このデータドライバ（５３）によりラッチされたデータはアナログ・データに変換され、走査期間毎にデータライン（５５）に同時に供給される。データドライバ（５３）は修正データに対応するガンマ電圧をデータライン（５５）に供給することもできる。
【００４４】
データ修正部（５２）は直前のフレーム（Ｆｎ−１）と現在のフレーム（Ｆｎ）の変化の有無により、ルックアップテーブルに登録された修正データを利用して現在入力されるデータ（ＲＧＢ）を修正する。また、データ修正部（５２）はモード検出器（５８）からの周波数の検出信号（Ｆ）に応じてルックアップテーブルから導き出された修正データの電圧を調整し、可変修正データ（ＶＭデータ）を発生する。
【００４５】
モード検出器（５８）はデジタル・ビデオ・データ（ＲＧＢ）をカウンターしてデジタル・ビデオ・データ（ＲＧＢ）の周波数を検出する。このように検出されたデジタル・ビデオ・データ（ＲＧＢ）の周波数の情報は、周波数の検出信号（Ｆ）としてデータ修正部（５２）の制御端子に供給される。
【００４６】
図６はデータ修正部（５２）の詳細な構成を表す。
【００４７】
図６に示すように、本発明によるデータ修正部（５２）は上位ビット（ＭＳＢ）が入力されるフレームメモリ（６３）と、直前のフレーム（Ｆｎ−１）と現在のフレーム（Ｆｎ）の上位ビット（ＭＳＢ）を比較して基準修正データ（ＬＲｅｆ）を導き出すためのルックアップテーブル（６４）と、周波数の検出信号（Ｆ）に応じて基準修正データ（ＬＲｅｆ）を調整するための演算器（６５）とを具備する。
【００４８】
フレームメモリ（６３）はタイミングコントローラ（５１）の上位ビット・バスライン（６２）に接続されてタイミングコントローラ（５１）から入力される上位ビット（ＭＳＢ）を１フレーム期間の間に保存する。そしてフレームメモリ（６３）はフレーム毎に保存された上位ビット（ＭＳＢ）を基準ルックアップテーブル（６４）に供給する。
【００４９】
基準ルックアップ・テーブル（６４）はタイミングコントローラ（５１）の上位ビット・バスライン（６２）から現在のフレーム（Ｆｎ）の上位ビット（ＭＳＢ）とフレームメモリ（６３）から入力される直前のフレーム（Ｆｎ−１）の上位ビット（ＭＳＢ）を比較する。そして基準ルックアップ・テーブル（６４）は比較結果により下の関係式▲１▼乃至▲３▼を満足する基準修正データ（ＬＲｅｆ）を導き出す。
ＶＤｎ  ＜  ＶＤｎ−１  ---＞  ＭＶＤｎ  ＜  ＶＤｎ------▲１▼
ＶＤｎ  ＝  ＶＤｎ−１  ---＞  ＭＶＤｎ  ＝  ＶＤｎ------▲２▼
ＶＤｎ  ＞  ＶＤｎ−１  ---＞  ＭＶＤｎ  ＞  ＶＤｎ------▲３▼
【００５０】
関係式▲１▼乃至▲３▼において、ＶＤｎ−１は直前のフレームのデータ電圧、ＶＤｎは現在のフレームのデータ電圧、そしてＭＶＤｎは修正データ電圧をそれぞれ表す。
【００５１】
基準修正データ（ＬＲｅｆ）は表１及び表２のように設定できる。
【００５２】
演算器（６５）は駆動周波数に対応して液晶の応答時間を変えることができるように基準修正データ（ＬＲｅｆ）を調整する。
【００５３】
表３は駆動周波数により要求される液晶の応答時間を表す。
【表３】
0004190220.tif 000010
【００５４】
表３で分かるように、駆動周波数により要求される液晶の応答時間は駆動周波数に反比例する。
【００５５】
このような駆動周波数と液晶の応答時間の関係に基づき、基準修正データ（ＬＲｅｆ）は液晶の応答時間に対応して調整されるべきである。このために、演算器（６５）は、関係式▲２▼のように現在のフレーム（Ｆｎ）と直前のフレーム（Ｆｎ−１）でデータ（ＲＧＢ）が変化しないと基準修正データ（ＬＲｅｆ）をデータドライバ（５３）に供給し、関係式▲１▼及び▲３▼のようにデータ（ＲＧＢ）が変化すると下の数式１５乃至１８のような方法で基準修正データ（ＬＲｅｆ）を調整する。
【数１５】
0004190220.tif 000011
【数１６】
0004190220.tif 000012
【数１７】
0004190220.tif 000013
【数１８】
0004190220.tif 000014
【００５６】
数式１５乃至１８において、Ｆｒｅｆは、基準周波数（例えば、６０Ｈｚ）として基準ルックアップテーブル（６４）に登録された修正データに適合するよう選定された周波数である。Ｆｔは現在入力されるデータ（ＲＧＢ）の周波数である。
【００５７】
演算器（６５）は、関係式▲１▼のように直前のフレーム（Ｆｎ−１）より現在のフレーム（Ｆｎ）のソースデータが大きくなると、数式１５及び１６を利用して基準修正データ（ＬＲｅｆ）を新しく設定された周波数、即ち検出された駆動周波数により調整する。
【００５８】
そして演算器（６５）は、関係式▲３▼のように直前のフレーム（Ｆｎ−１）より現在のフレーム（Ｆｎ）のソースデータが小さくなると、数式１７及び１８を利用して基準修正データ（ＬＲｅｆ）を新しく設定された周波数、即ち検出された駆動周波数により調整する。
【００５９】
数式１５乃至１８で分かるように、演算器（６５）はデータ（ＲＧＢ）がどのように変化したかにより、それぞれ反対方向への修正データの調整を行う。
【００６０】
例えば、駆動周波数が大きくなると、それに対応して要求される液晶の応答速度は表３のように減るべきである。この場合、演算器（６５）は直前のフレーム（Ｆｎ−１）より現在のフレーム（Ｆｎ）の上位ビット（ＭＳＢ）が大きくなると基準修正データなど（ＬＲｅｆ）を小さく修正する。
【００６１】
一方、演算器（６５）は、駆動周波数により数式１５乃至１８のような演算アルゴリズムに基準修正データ（ＬＲｅｆ）を修正することができるが、下の表４のように周波数の帯域別に加重値を付与することもできる。このように、周波数の帯域別に加重値を割り当てたことは、小さい周波数の変化には液晶の応答時間の調整が殆ど要求されないためである。
【００６２】
【表４】
0004190220.tif 000015
表４で分かるように、５０〜６０Ｈｚの駆動周波数帯域（以下、「基準周波数帯域」という）では、基準ルックアップテーブル（６４）の基準修正データ（ＬＲｅｆ）が調整されないと、基準周波数より小さいか又は大きい周波数の帯域で基準修正データ（ＬＲｅｆ）が周波数により増減される。
【００６３】
例えば、駆動周波数が高くなる場合に、演算器（６５）は、関係式▲１▼のように直前のフレーム（Ｆｎ−１）より現在のフレーム（Ｆｎ）でソースデータが大きくなると、基準修正データ（ＬＲｅｆ）を前記加重値（Ｗ）で割り、その結果可変修正データ（ＶＭデータ）が基準修正データ（ＬＲｅｆ）より高くなる。これに反して、演算器（６５）は、関係式▲３▼のように直前のフレーム（Ｆｎ−１）より現在のフレーム（Ｆｎ）でソースデータが小さくなると、基準修正データ（ＬＲｅｆ）に加重値（Ｗ）を掛け、その結果可変修正データ（ＶＭデータ）は基準修正データ（ＬＲｅｆ）より低くなる。このように、高い駆動周波数で可変修正データ（ＶＭデータ）が調整されると液晶の応答速度は速くなる。
【００６４】
駆動周波数が低くなる場合に、演算器（６５）は関係式▲１▼のように直前のフレーム（Ｆｎ−１）より現在のフレーム（Ｆｎ）でソースデータが大きくなると、基準修正データ（ＬＲｅｆ）を前記加重値（Ｗ）で割り、その結果可変修正データ（ＶＭデータ）が基準修正データ（ＬＲｅｆ）より低くなる。これに反して、演算器（６５）は、関係式▲３▼のように直前のフレーム（Ｆｎ−１）より現在のフレーム（Ｆｎ）でソースデータが小さくなると、基準修正データ（ＬＲｅｆ）に加重値（Ｗ）を掛け、その結果可変修正データ（ＶＭデータ）は基準修正データ（ＬＲｅｆ）より高くなる。このように低い駆動周波数で可変修正データ（ＶＭデータ）が調整されると液晶の応答速度は遅くなる。
【００６５】
本発明による液晶表示装置の駆動方法及び装置において、前記のデータ修正過程は図７のフローチャートに整理される。
【００６６】
図７に示すように、まず基準ルックアップテーブル（６４）に基準周波数に対応して設定された修正データが登録される。（Ｓ７１段階）続いて、モード検出器（５７）により駆動周波数が検出されると（Ｓ７２段階）、検出された駆動周波数に応じて要求される液晶の応答速度を満足するように、基準データ値が数式１５乃至１８により調整されるか又は表４のような加重値が付与される。（Ｓ７３段階）
【００６７】
一方、演算器（６５）が基準修正データ（ＬＲｅｆ）に加重値を掛けるか、または割ることにより加重値を付与する場合は、加重値が、表４に示すように、現在のフレームの駆動周波数が基準周波数より大きくなる周波数帯域で１より小さく設定され、現在のフレームの駆動周波数が基準周波数より小さくなる周波数帯域で１より大きく設定されることを前提とする。従って、加重値が表４と異なる値に設定された場合には、その加重値の付与方法が乗算か除算以外に加減算にも適用できるのは勿論である。
【００６８】
本発明による液晶表示装置の駆動方法及び装置は、実施例で上位ビットだけを修正する方法を記述したが、フルビット（８ビット）のソースデータを修正することもできる。
【００６９】
【発明の効果】
上述のように、本発明による液晶表示装置の駆動方法及び装置は、基準修正データを設定し、駆動周波数により基準修正データを調整して駆動周波数別に要求される液晶の応答速度に適合させる。その結果、本発明による液晶表示装置の駆動方法及び装置は、駆動周波数が変化する表示装置にも最適の高速駆動を表現することができ、よって画質を向上させることができる。
【００７０】
以上説明した内容を通し、当業者であれば本発明の技術思想を逸脱しない範囲で多様な変更及び修正が可能であることが分かる。例えば、データ修正部と演算器は、ルックアップテーブル以外にもプログラムとこれを実行するためのマイクロプロッセッサなどの異なる形態にすることもできる。また、本発明による技術的思想は、データ修正が必要なすべての分野、例えば、プラズマディスプレー（ＰＤＰ）、電界放出表示装置（ＦＥＤ）、エレクトロ・ルミネセンス表示装置（ＥＬ）などのデジタル平板表示装置などに適用することができる。従って、本発明の技術的な範囲は、明細書の詳細な説明に記載された内容に限定されず、特許請求の範囲によって定められる。
【図面の簡単な説明】
【図１】図１は通常の液晶表示装置におけるデータによる輝度変化を表す波形図である。
【図２】図２は従来の高速駆動方法におけるデータ修正による輝度変化の一例を表す波形図である。
【図３】図３は８ビットのデータを使用する従来の高速駆動方法の一例を表す。
【図４】図４は従来の高速の駆動装置を表すブロック図である。
【図５】図５は本発明の実施例による液晶表示装置の駆動装置を表すブロック図である。
【図６】図６は図５に図示されたデータ修正部を詳細に表すブロック図である。
【図７】図７は本発明の実施例による液晶表示装置の修正手順を段階的に表すフローチャートである。
【符号の説明】
４２、６２：上位ビット・バスライン
４３：フレームメモリ
４４：ルックアップテーブル
５１：タイミングコントローラ
５２：データ修正部
５３：データドライバ
５４：ゲートドライバ
５５：データライン
５６：ゲートライン
５７：液晶パネル
５８：モード検出器
６３：フレームメモリ
６４：基準ルックアップテーブル
６５：演算器
【図１】
0004190220.tif 000024
【図２】
0004190220.tif 000025
【図３】
0004190220.tif 000026
【図４】
0004190220.tif 000027
【図５】
0004190220.tif 000028
【図６】
0004190220.tif 000029
【図７】
0004190220.tif 000030